(57)【要約】【課題】優れたセキュリティを有するハンドル装置を提供する。【解決手段】扉２に取り付けられるハウジング６と、一端部を中心にして回動自在にハウジング６に設けられたハンドル７とを有し、ハウジング６に、ハンドル７を格納する格納部１２と、ハンドル７を格納部１２から浮き上がらせる飛び出し機構１３とが設けられ、浮き上がったハンドル７が手前に引き出された状態で回動操作可能となるハンドル装置５であって、格納部１２に格納されたハンドル７をロックする錠装置１５がハンドル７に設けられ、錠装置１５は鍵１６によって解錠と施錠とが切り換えられ、錠装置１５が解錠された状態で、ハンドル７が飛び出し機構１３によって格納部１２から浮き上がる。【選択図】図５
0003214086.tif 000002
【実用新案登録請求の範囲】
【請求項１】
扉に取り付けられるハウジングと、一端部を中心にして回動自在にハウジングに設けられたハンドルとを有し、
ハウジングに、ハンドルを格納する格納部と、ハンドルを格納部から浮き上がらせる飛び出し機構とが設けられ、
浮き上がったハンドルが手前に引き出された状態で回動操作可能となるハンドル装置であって、
格納部に格納されたハンドルをロックする錠装置がハンドルに設けられ、
錠装置は鍵によって解錠と施錠とが切り換えられ、
錠装置が解錠された状態で、ハンドルが飛び出し機構によって格納部から浮き上がることを特徴とするハンドル装置。
【請求項２】
飛び出し機構は、格納部内に出退自在な押出部材と、押出部材を押出方向へ付勢する付勢部材とを有し、
押出部材は押出方向へ回動することによってハンドルを押し出して浮き上がらせ、
ハンドルが格納部に格納される際、押出部材が、付勢部材の付勢力に抗して、押出方向とは反対の退入方向へ回動することを特徴とする請求項１記載のハンドル装置。
【請求項３】
錠装置は施錠された状態で突出するとともに解錠された状態で退入するロック片を有し、
格納部内に係止部材が設けられ、
ハンドルは、格納部に格納された状態で、突出したロック片が係止部材に係止することにより、ハウジングに固定され、
係止部材は、突出したロック片から退避する退避位置と、突出したロック片に係止する係止位置とに回動自在であり、押出部材が退入方向へ回動した状態で、付勢部材の付勢力によって退避位置から係止位置の方向へ付勢されることを特徴とする請求項２記載のハンドル装置。
【請求項４】
格納部内に支軸が設けられ、
押出部材と係止部材とが支軸に回動自在に支持され、
付勢部材が支軸に保持されていることを特徴とする請求項３記載のハンドル装置。
【請求項５】
鍵は、錠装置に差し込まれて施錠方向に操作され、ロック片が突出した状態で、錠装置から脱抜可能であることを特徴とする請求項３又は請求項４に記載のハンドル装置。
【考案の詳細な説明】
【技術分野】
【０００１】
本考案は、扉に取り付けられるハンドル装置に関する。
【背景技術】
【０００２】
従来、この種のハンドル装置としては、例えば図１４に示すように、キャビネットの扉に取り付けられるハウジング１０１と、このハウジング１０１に対し水平軸心の回りで回動自在に上端近傍が枢支されたハンドル１０２とを備え、ハンドル１０２を手前に引く操作によってキャビネット側の係止片に対する係止が外れて扉が開かれるようにしたハンドル装置１０３がある。
【０００３】
ハウジング１０１には、ハンドル１０２をハウジング１０１に対して下端を飛び出させて傾ける方向に付勢するボールプランジャー１０４が設けられ、ハンドル１０２の下端部には、ハンドル１０２が閉状態のときにハウジング１０１に錠止する錠前ユニット１０５が設けられ、ハウジング１０１の下端部には、ハンドル１０２の錠前ユニット１０５の止め板金１０６に係合する方向にばね付勢された受け金レバー１０７が設けられている。
【０００４】
錠前ユニット１０５は、シリンダー１０８と、シリンダー１０８の端面に形成された溝部１０９とを有している。
【０００５】
これによると、操作者が錠前ユニット１０５の溝部１０９にマイナスドライバー１１１を差し込み、マイナスドライバー１１１を解除方向に回すことにより、ハンドル１０２とハウジング１０１との錠止状態が解除され、ハンドル１０２は、ボールプランジャー１０４によって手前側へ押し出され、ハウジング１０１から浮き上がる。
【０００６】
その後、操作者は、マイナスドライバー１１１を溝部１０９から離脱し、ハンドル１０２を手前に引き起し、この状態でハンドル１０２を手前に引っ張ることにより、扉を開けることができる。
【０００７】
尚、上記のようなハンドル装置は例えば下記特許文献１に記載されている。
【先行技術文献】
【特許文献】
【０００８】
【特許文献１】特開２０１２−３６６５２
【考案の概要】
【考案が解決しようとする課題】
【０００９】
しかしながら上記の従来形式では、汎用品であるマイナスドライバー１１１を用いて、ハンドル１０２とハウジング１０１との錠止状態を解除することができるため、部外者等の不特定の者が、マイナスドライバー１１１を用いて、容易にハンドル１０２を手前に引き起し、誰でも扉を開けることができてしまう。このため、セキュリティの面で懸念があるといった問題がある。
【００１０】
本考案は、優れたセキュリティを有するハンドル装置を提供することを目的とする。
【課題を解決するための手段】
【００１１】
上記目的を達成するために、本第１考案は、扉に取り付けられるハウジングと、一端部を中心にして回動自在にハウジングに設けられたハンドルとを有し、
ハウジングに、ハンドルを格納する格納部と、ハンドルを格納部から浮き上がらせる飛び出し機構とが設けられ、
浮き上がったハンドルが手前に引き出された状態で回動操作可能となるハンドル装置であって、
格納部に格納されたハンドルをロックする錠装置がハンドルに設けられ、
錠装置は鍵によって解錠と施錠とが切り換えられ、
錠装置が解錠された状態で、ハンドルが飛び出し機構によって格納部から浮き上がるものである。
【００１２】
これによると、操作者が専用の鍵を用いて錠装置を解錠することにより、ハンドルが格納部から浮き上がる。その後、操作者が、ハンドルを手前に引き起し、この状態でハンドルを回動することにより、扉を開けることができる。
【００１３】
このように、専用の鍵を用いて錠装置を解錠することで、ハンドルを手前に引き起して回動することができるため、専用の鍵を持たない不特定者（部外者）は扉を開けることができず、セキュリティ機能が向上する。
【００１４】
本第２考案におけるハンドル装置は、飛び出し機構は、格納部内に出退自在な押出部材と、押出部材を押出方向へ付勢する付勢部材とを有し、
押出部材は押出方向へ回動することによってハンドルを押し出して浮き上がらせ、
ハンドルが格納部に格納される際、押出部材が、付勢部材の付勢力に抗して、押出方向とは反対の退入方向へ回動するものである。
【００１５】
これによると、操作者が専用の鍵を用いて錠装置を解錠することにより、押出部材が、付勢部材の付勢力により押出方向へ回動して、ハンドルを押し出す。これにより、ハンドルが格納部から浮き上がる。その後、操作者が、ハンドルを手前に引き起し、この状態でハンドルを回動することにより、扉を開けることができる。
【００１６】
また、操作者が、扉を閉めた後、ハンドルを押し倒して格納部に格納する際、ハンドルが押出部材に当接し、押出部材が付勢部材の付勢力に抗して退入方向へ回動する。これにより、ハンドルが格納部に格納される。
【００１７】
本第３考案におけるハンドル装置は、錠装置は施錠された状態で突出するとともに解錠された状態で退入するロック片を有し、
格納部内に係止部材が設けられ、
ハンドルは、格納部に格納された状態で、突出したロック片が係止部材に係止することにより、ハウジングに固定され、
係止部材は、突出したロック片から退避する退避位置と、突出したロック片に係止する係止位置とに回動自在であり、押出部材が退入方向へ回動した状態で、付勢部材の付勢力によって退避位置から係止位置の方向へ付勢されるものである。
【００１８】
これによると、ハンドルが格納部に格納されている場合、押出部材が退入方向へ回動した状態で、係止部材が付勢部材の付勢力によって係止位置に回動し、突出したロック片が係止位置の係止部材に係止するため、ハンドルはハウジングに固定される。
【００１９】
このように、ハンドルはハウジングに固定された状態で格納部に格納されるため、この状態で、ハンドルをハウジングの手前に引き起して操作することはできない。
【００２０】
本第４考案におけるハンドル装置は、格納部内に支軸が設けられ、
押出部材と係止部材とが支軸に回動自在に支持され、
付勢部材が支軸に保持されているものである。
【００２１】
これによると、押出部材と係止部材と付勢部材とが共通の支軸に支持されているため、部品点数を削減することができる。また、飛び出し機構と係止部材とを同じ箇所に設けることができるため、ハンドル装置を小型化することができる。
【００２２】
本第５考案におけるハンドル装置は、鍵は、錠装置に差し込まれて施錠方向に操作され、ロック片が突出した状態で、錠装置から脱抜可能であるものである。
【００２３】
これによると、操作者が専用の鍵を錠装置に差し込んで解錠方向に操作することにより、錠装置が解錠されて、ロック片が退入して係止部材から離脱し、押出部材が、付勢部材の付勢力により押出方向へ回動して、ハンドルを押し出す。これにより、ハンドルが格納部から浮き上がる。
【００２４】
その後、操作者は、鍵を施錠方向に操作することにより、ロック片が突出し、この状態で、鍵を錠装置から脱抜することができる。次に、操作者が、ハンドルを手前に引き起し、この状態でハンドルを回動することにより、扉を開けることができる。
【００２５】
その後、操作者が、扉を閉めた後、ハンドルを押し倒して格納部に格納する際、先ず、突出しているロック片が係止部材に当接して、係止部材が退避位置に回動してロック片から退避し、その直後、ハンドルが押出部材に当接して、押出部材が付勢部材の付勢力に抗して退入方向へ回動し、押出部材が退入した状態で、係止部材が付勢部材の付勢力によって退避位置から係止位置の方向へ付勢される。
【００２６】
これにより、係止部材が係止位置に回動し、突出したロック片が係止位置の係止部材に係止するため、ハンドルが格納部に格納されてハウジングに固定される。
【考案の効果】
【００２７】
以上のように本考案によると、優れたセキュリティを有するハンドル装置を提供することができる。
【図面の簡単な説明】
【００２８】
【図１】本考案におけるハンドル装置を備えた扉の斜視図である。
【図２】同、ハンドル装置の斜視図であり、ハンドルが格納部に格納された様子を示す。
【図３】同、ハンドル装置の断面図であり、ハンドルが格納部に格納された様子を示す。
【図４】同、ハンドル装置の斜視図であり、ハンドルが格納部から浮き上がった様子を示す。
【図５】同、ハンドル装置の断面図であり、ハンドルが格納部から浮き上がった様子を示す。
【図６】同、ハンドル装置の斜視図であり、ハンドルが手前に引き出された様子を示す。
【図７】同、ハンドル装置の断面図であり、ハンドルが手前に引き出された様子を示す。
【図８】同、ハンドル装置の飛び出し機構と係止部材との斜視図である。
【図９】図８におけるＸ−Ｘ矢視図である。
【図１０】同、ハンドル装置の一部拡大断面図であり、ハンドルが格納部に格納される様子を段階的に示す。
【図１１】同、ハンドル装置の一部拡大断面図であり、ハンドルが格納部に格納される様子を段階的に示す。
【図１２】同、ハンドル装置の一部拡大断面図であり、ハンドルが格納部に格納される様子を段階的に示す。
【図１３】同、ハンドル装置の一部拡大断面図であり、ハンドルが格納部に格納されたときの様子を示す。
【図１４】従来のハンドル装置の断面図である。
【考案を実施するための形態】
【００２９】
以下、本考案における実施の形態を、図面を参照して説明する。
【００３０】
例えば工場内には、図１〜図３に示すように、機器類を収納したボックス本体１が設置され、ボックス本体１には、前後方向Ａへ開閉自在な扉２が設けられている。扉２には、扉２を閉じた状態でボックス本体１に係止するハンドル装置５が設けられている。
【００３１】
ハンドル装置５は、扉２に取り付けられるハウジング６と、一端部を中心にして回動自在にハウジング６に設けられたハンドル７と、ハンドル７と共に回動可能な止金８とを有している。
【００３２】
ハウジング６の上端部には保持軸９が回動自在に保持され、ハンドル７の一端部がピン１０を介して保持軸９の前端部に連結されている。ハンドル７は、保持軸９を中心に開位置Ｏと閉位置Ｓとに約９０°の範囲で回動自在であるとともに、ピン１０を中心に前後方向Ａへ揺動自在である。また、止金８は保持軸９の後端部に取り付けられている。
【００３３】
図４〜図７に示すように、ハウジング６には、ハンドル７を格納する格納部１２と、ハンドル７を格納部１２から前方へ浮き上がらせる飛び出し機構１３とが設けられている。格納部１２は前方が開放された凹状の空間である。ハンドル７は、図４，図５に示すように、飛び出し機構１３によって格納部１２から浮き上がった後、図６，図７に示すように、さらに手前に引き出された状態で回動操作可能となる。
【００３４】
図２，図３に示すように、ハンドル７の他端部には、格納部１２に格納されたハンドル７をハウジング６にロックする錠装置１５が設けられている。錠装置１５は、専用の鍵１６によって解錠と施錠とが切り換えられるものであり、鍵１６の回転操作により回動自在なシリンダー１７と、シリンダー１７の後端に設けられた偏芯突起１８と、偏芯突起１８に係合してシリンダー１７の径方向へ出退自在なロック片１９とを有している。シリンダー１７の前端面には鍵穴２０が形成されている。
【００３５】
ロック片１９は、図３，図７に示すように、錠装置１５が施錠された状態で、シリンダー１７の径方向外側へ突出し、図５に示すように、錠装置１５が解錠された状態で、シリンダー１７の径方向内側へ退入する。尚、鍵１６は、錠装置１５の鍵穴２０に差し込まれて施錠方向に操作され、ロック片１９が突出した状態（図３，図７参照）で、鍵穴２０から脱抜可能であり、解錠方向に操作され、ロック片１９が退入した状態（図５参照）で、鍵穴２０から脱抜不能である。
【００３６】
図４，図５に示すように、ハンドル７は、錠装置１５が解錠された状態で、飛び出し機構１３によって格納部１２から手前に浮き上がる。図８，図９に示すように、飛び出し機構１３は、格納部１２内に出退自在な押出部材２３と、押出部材２３を押出方向Ｂ（前方）へ付勢する捩りコイルばね２４（付勢部材の一例）と、支軸２５とを有している。
【００３７】
押出部材２３は、支軸２５に支持されて、押出位置Ｐ１（図８〜図１０参照）と退入位置Ｐ２（図１３参照）との間を回動自在であり、押出方向Ｂへ回動することによってハンドル７を押し出して浮き上がらせる。また、図１２に示すように、ハンドル７が格納部１２に格納される際、押出部材２３は、捩りコイルばね２４の付勢力に抗して、押出方向Ｂとは反対の退入方向Ｃへ回動する。
【００３８】
図７〜図９に示すように、捩りコイルばね２４は支軸２５に外嵌されて保持されている。また、支軸２５は取付金具２７に取り付けられ、取付金具２７が格納部１２内の底部に取り付けられている。
【００３９】
また、格納部１２内には係止部材２９が設けられている。図３，図１３に示すように、ハンドル７は、格納部１２に格納された状態で、突出したロック片１９が前後方向Ａにおいて係止部材２９に係止することにより、ハウジング６に固定される。
【００４０】
係止部材２９は、支軸２５に支持されており、突出したロック片１９から退避する退避位置Ｐ３（図１２参照）と、突出したロック片１９に係止する係止位置Ｐ４（図１３参照）とに回動自在であり、図１３に示すように、押出部材２３が退入方向Ｃへ回動した状態で、捩りコイルばね２４の付勢力によって退避位置Ｐ３から係止位置Ｐ４の方向Ｄへ付勢される。
【００４１】
捩りコイルばね２４の一端は押出部材２３に係止し、他端は係止部材２９に係止している。捩りコイルばね２４の付勢力は、図１０に示すように押出部材２３が押出位置Ｐ１に位置している状態で、係止部材２９に作用せず、図１３に示すように押出部材２３が退入位置Ｐ２に位置している状態で、係止部材２９に作用する。
【００４２】
また、図１に示すように、ボックス本体１には閉止孔３５が形成され、止金８が回動して閉止孔３５に挿入されることにより、扉２が閉鎖状態で固定される。また、止金８が回動して閉止孔３５から脱抜されることにより、扉２の固定が解除され、扉２が開放可能となる。
【００４３】
以下、上記構成における作用を説明する。
【００４４】
閉鎖されている扉２を開放する場合、図２，図３に示すように、操作者は専用の鍵１６を錠装置１５の鍵穴２０に差し込んで解錠方向（反時計回り）へ回す。これにより、図４，図５に示すように、ロック片１９がシリンダー１７の径方向内側へ退入して係止部材２９から離脱し、飛び出し機構１３の押出部材２３が、捩りコイルばね２４の付勢力によって退入位置Ｐ２から押出位置Ｐ１に回動し、ハンドル７を押し出してハウジング６から浮き上がらせる。
【００４５】
上記のようにハンドル７が浮き上がった状態で、操作者は、鍵１６を施錠方向（時計回り）へ回すことにより、ロック片１９を突出させるとともに、鍵１６を鍵穴２０から脱抜する。
【００４６】
その後、図６，図７に示すように、操作者は、上記のようにして浮き上ったハンドル７を手前に引き起し、この状態でハンドル７を閉位置Ｓ（図６の実線参照）から開位置Ｏ（図６の仮想線参照）へ回動する。これにより、止金８がハンドル７と共に９０°回動してボックス本体１の閉止孔３５（図１参照）から脱抜され、扉２の固定が解除され、図１の仮想線で示すように扉２が開放可能となる。
【００４７】
このように、専用の鍵１６を用いて錠装置１５を解錠することで、ハンドル７を手前に引き起して回動することができるため、専用の鍵１６を持たない不特定者は扉２を開けることができず、セキュリティ機能が向上する。
【００４８】
扉２を開放した後、ボックス本体１内の機器類の点検や操作を行い、所要の作業が終了すると、扉２を閉じて、ハンドル７を引き起した状態で開位置Ｏ（図６の仮想線参照）から閉位置Ｓ（図６の実線参照）へ回動する。これにより、止金８がハンドル７と共に９０°回動してボックス本体１の閉止孔３５（図１参照）に挿入される。
【００４９】
その後、操作者は、ハンドル７を、引き起した状態から押し倒して、図１〜図３に示すように格納部１２に格納する。この際、図１１に示すように、突出しているロック片１９が係止部材２９に当接して、図１２に示すように、係止部材２９が係止位置Ｐ４から退避位置Ｐ３に回動してロック片１９から退避するため、ロック片１９は、突出した状態で、係止部材２９の下を格納部１２の手前側から後奥側へ通過する。
【００５０】
上記のようにロック片１９が係止部材２９に当接した直後、ハンドル７が押出部材２３に当接し、図１３に示すように、押出部材２３が捩りコイルばね２４の付勢力に抗して押出位置Ｐ１から退入位置Ｐ２へ回動し、この状態で、係止部材２９が捩りコイルばね２４の付勢力によって退避位置Ｐ３から係止位置Ｐ４の方向Ｄへ付勢される。
【００５１】
これにより、係止部材２９が係止位置Ｐ４に回動し、ロック片１９が、突出した状態で、前後方向Ａにおいて係止部材２９に係止する。このため、ハンドル７が格納部１２に格納されてハウジング６に固定される。
【００５２】
このように、ハンドル７はハウジング６に固定された状態で格納部１２に格納されるため、この状態で、ハンドル７をハウジング６の手前に引き起して操作することはできない。従って、ハンドル７を格納部１２に戻すだけで施錠されるため、鍵１６のかけ忘れを防止することができる。
【００５３】
また、押出部材２３と係止部材２９と捩りコイルばね２４とが一本の共通の支軸２５に支持されているため、部品点数を削減することができる。さらに、飛び出し機構１３と係止部材２９とをハウジング６の同じ箇所に設けることができるため、ハンドル装置５を小型化することができる。
【００５４】
上記実施の形態では、格納部１２に格納された状態のハンドル７の長手方向を、上下方向にしているが、上下方向のみに限定されるものではなく、例えば水平方向にしてもよい。
【符号の説明】
【００５５】
２        扉
５        ハンドル装置
６        ハウジング
７        ハンドル
１２      格納部
１３      飛び出し機構
１５      錠装置
１６      鍵
１９      ロック片
２３      押出部材
２４      捩りコイルばね（付勢部材）
２５      支軸
２９      係止部材
Ｂ        押出方向
Ｃ        退入方向
Ｐ３      退避位置
Ｐ４      係止位置
【図１】
0003214086.tif 000003
【図２】
0003214086.tif 000004
【図３】
0003214086.tif 000005
【図４】
0003214086.tif 000006
【図５】
0003214086.tif 000007
【図６】
0003214086.tif 000008
【図７】
0003214086.tif 000009
【図８】
0003214086.tif 000010
【図９】
0003214086.tif 000011
【図１０】
0003214086.tif 000012
【図１１】
0003214086.tif 000013
【図１２】
0003214086.tif 000014
【図１３】
0003214086.tif 000015
【図１４】
0003214086.tif 000016